(57)【特許請求の範囲】
【請求項１】
垂直回転軸のまわりに、複数の縦方向のブレードを設け、これら複数のブレードが支持杆を介して垂直回転軸に一体に取り付けられてなるジャイロミル型の垂直軸型風力発電機において、前記支持杆が、動物形状や植物形状等の、表現しようとする造形物の輪郭を表す形状に形成した線状体からなり、該線状体が前記垂直回転軸のまわりを該回転軸と一体回転することによって、該造形物輪郭線状体が、視覚上、浮き上がり状に立体的造形物のように表れるようにした垂直軸型風力発電機。
【請求項２】
垂直回転軸のまわりに、複数の縦方向のブレードを設け、これら複数のブレードが垂直回転軸から半径方向に湾曲状に張り出してその上下両端部が該回転軸に一体に取り付けられてなるダリウス型の垂直軸型風力発電機において、前記垂直回転軸に動物形状や植物形状等の、表現しようとする造形物の輪郭を表す形状に形成した線状体を一体的に取り付け、該線状体が垂直回転軸のまわりを該回転軸と一体回転することによって、該造形物輪郭線状体が、視覚上、浮き上がり状に立体的造形物のように表れるようにした垂直軸型風力発電機。
【請求項３】
前記ブレードは、透明材料によって形成されてなる請求項１又は２に記載の垂直軸型風力発電機
【発明の詳細な説明】
【技術分野】
【０００１】
本発明は、ジャイロミル型またはダリウス型と呼ばれる小型風力発電機に関する。
【背景技術】
【０００２】
図１に示すジャイロミル型または図１６に示すダリウス型の小型風力発電機は、従来のプロペラ型風力発電機に比べて騒音もほとんど発生せず、また風向きにあまり影響されことがなく発電することができ、さらには自然のエネルギーである風を利用するものであるから、地球温暖化の原因である二酸化炭素を排出することもないため、比較的環境の良い場所、例えば公園や学校あるいは住宅区域に設置される街灯の電源としてこの種小型風力発電機が利用されている。
【０００３】
しかし、上述のように環境の良い場所にこの種小型風力発電機が設置されるが、これらは全て発電のみを目的とした機能面を重視した形態で設置されるため、美観やデザイン性に欠け、環境の良い場所に設置するのに相応しい形態とは言い難いものであった。
【発明の開示】
【発明が解決しようとする課題】
【０００４】
本発明は、上記の点に鑑み、環境の良い場所に設置するのに相応しい形態の風力発電機を提案し、これによって生活環境の一層の向上を図るようにしたものである。
【課題を解決するための手段】
【０００５】
上記課題を解決するための手段を、後述する実施形態の参照符号を付して説明すると、請求項１に係る発明は、垂直回転軸１のまわりに、複数の縦方向のブレード２を設け、これら複数のブレード２が支持杆３を介して垂直回転軸１に一体に取り付けられてなるジャイロミル型の垂直軸型風力発電機において、前記支持杆３が、動物形状や植物形状等の、表現しようとする造形物４の輪郭を表す形状に形成した線状体５からなり、該線状体５が前記垂直回転軸１のまわりを該回転軸１と一体回転することによって、該造形物輪郭線状体５が、視覚上、浮き上がり状に立体的造形物６のように表れるようにした垂直軸型風力発電機に係るものである。
【０００６】
また請求項２に係る発明は、図１６〜図１７に示すように、垂直回転軸１のまわりに、複数の縦方向のブレード２Ａを設け、これら複数のブレード２Ａが垂直回転軸１から半径方向に湾曲状に張り出してその上下両端部が該回転軸１に一体に取り付けられてなるダリウス型の垂直軸型風力発電機において、前記垂直回転軸１に動物形状や植物形状等の、表現しようとする造形物４Ａの輪郭を表す形状に形成した線状体５Ａを一体的に取り付け、該線状体５Ａが垂直回転軸１のまわりを該回転軸１と一体回転することによって、該造形物輪郭線状体５Ａが、視覚上、浮き上がり状に立体的造形物６Ａのように表れるようにした垂直軸型風力発電機に係る。
【０００７】
さらに請求項３に係る発明は、前記ブレード２，２Ａは、透明材料によって形成されてなる請求項１又は２に記載の垂直軸型風力発電機に係る。
【発明の効果】
【０００８】
請求項１に係る発明の垂直軸型風力発電機によれば、垂直回転軸１のまわりに、複数の縦方向のブレード２を設け、これら複数のブレード２が支持杆３を介して垂直垂直軸１に一体に取り付けられてなるジャイロミル型の垂直軸型風力発電機において、前記支持杆３が、動物形状や植物形状等の、表現しようとする造形物４の輪郭を表す形状に形成した線状体５からなり、該線状体５が前記垂直回転軸１のまわりを該回転軸１と一体回転することによって、該造形物輪郭線状体５が、視覚上、浮き上がり状に立体的造形物６のように表れるようにしたため、当該風力発電機が稼働中は、垂直回転軸１と一体回転する線状体５によって、該線状体５に形成された動物造形物等の造形物４の輪郭が、視覚的に浮き上がって立体的な造形物６として見ることができ、該風力発電機の全体の美観が向上し、デザイン的優れた外観を呈し、その設置される付近の環境に造形美を付与し、環境改善に貢献し、環境の良い場所に設置するのに相応しい形態のジャイロミル型の小型風力発電機を提供することができる。
【０００９】
また同じく請求項２に係る発明の垂直軸型風力発電機によれば、垂直回転軸１のまわりに、複数の縦方向のブレード２Ａを設け、これら複数のブレード２Ａが垂直回転軸１から半径方向に湾曲状に張り出してその上下両端部が該回転軸１に一体に取り付けられてなるダリウス型の垂直軸型風力発電機において、前記垂直回転軸１に動物形状や植物形状等の、表現しようとする造形物４Ａの輪郭を表す形状に形成した線状体５Ａを一体的に取り付け、該線状体５Ａが垂直回転軸１のまわりを該回転軸１と一体回転することによって、該造形物輪郭線状体５Ａが、視覚上、浮き上がり状に立体的造形物６Ａのように表れるようにしたため、当該風力発電機が稼働中は、垂直回転軸１と一体回転する線状体５Ａによって、該線状体５Ａに形成された造形物４Ａの輪郭が、視覚的に浮き上がって立体的な造形物６Ａとして見ることができ、該風力発電機の全体の美観が向上し、デザイン的に優れた外観を呈し、その設置される付近の環境に造形美を付与し、環境改善に貢献し、環境の良い場所に設置するのに相応しい形態のダリウス型の小型風力発電機を提供することができる。
【００１０】
さらに請求項３に係る発明の垂直軸型風力発電機によれば、前記ブレード２，２Ａは、透明材料によって形成されてなるため、急速回転するブレード２，２Ａが、その透明性ゆえに視界から消えて、視覚上、立体的造形物６，６Ａのみが浮き上がり状に表れて見え、これがために、より一層、該風力発電機に造形性を付与し、更にデザイン的に優れた垂直軸型風力発電機を提供することができる。
【発明を実施するための最良の形態】
【００１１】
以下に本発明の好適な実施形態を図面に基づいて説明すると、図１〜図３は、本発明の一実施形態を示すもので、垂直回転軸１のまわりに、複数の縦方向のブレード２（図示では４枚）を設け、これら複数のブレード２が支持杆３を介して垂直回転軸１に一体に取り付けられ、該垂直回転軸１は軸受７を介して図示しない発電機の回転子に繋がれ発電が行われるジャイロミル型の垂直軸型風力発電機を示している。
【００１２】
そして支持杆３は、鳥などの動物形状や草花などの植物形状等の、表現しようとする造形物４の輪郭を表す形状に形成した線状体５に形成されている。勿論、垂直回転軸１から半径方向に伸びる支持杆３にブレード２を一体的に取り付けると共に、該支持杆３に線状体５を一体的に取り付けたものも、本発明では支持杆３が線状体５として形成されたものに含まれる。このように、支持杆３を線状に細い線状体５として形成するのは、できるだけ風の抵抗を受けないようにするためである。
【００１３】
このように、支持杆３を平面的な造形物４の輪郭を表す形状に形成した線状体５に形成した状態で、風力発電機を稼働し、垂直回転軸１を回転させることによって、平面的な造形物輪郭線状体５が、前記垂直回転軸１のまわりを該回転軸１と一体回転することによって、該造形物輪郭線状体５が、視覚上、浮き上がり状に立体的造形物６として表れるようになる。なお、ブレード２は、その表面に白色塗料を塗布し、造形物輪郭線状体５には黒色塗料を塗布する等して、立体的造形物６，６Ａの背景となるブレード２，２Ａと立体的造形物６，６Ａとのコントラストが際立つようにすることが好ましい。
【００１４】
そして、ブレード２は、特に、透明材料、例えば、アクリル樹脂等の透明樹脂、あるいは強化ガラス等によって形成されることが、より好ましく、これによって、急速回転するブレード２，２Ａがその透明性ゆえに視界から消えて、視覚上、立体的造形物６，６Ａのみが浮き上がり状に表れて見え、より一層、該風力発電機に造形性を付与し、デザイン的に優れた垂直軸型風力発電機として提供することができる。
【００１５】
これがために、風力発電機の全体の美観が向上し、デザイン的に優れた外観を呈することになり、環境の良い場所、例えば公園や学校あるいは住宅区域に設置される街灯の電源としてこの種小型風力発電機が利用されることによって、その設置される付近の環境に造形美を付与し、環境改善に貢献することができる。
【００１６】
図４〜図６は、回転するブレード２を背景に、小鳥からなる立体的造形物６が浮き上がり状に視覚的に見える状態を示したものである。図７は小犬からなる立体的造形物６が、図８は蝶々からなる立体的造形物６が、図９は、トンボからなる立体的造形物６が、図１０、図１１は、小鳥からなる立体的造形物６が、図１２は、子豚からなる立体的造形物６が、図１３は、小熊からなる立体的造形物６が、図１４は、子猫からなる立体的造形物６を、図１５は，人形からなる立体的造形物６が、それぞれ回転するブレード２を背景に浮き上がり状に見える状態を示したものである。
【００１７】
図１６および図１７は、垂直回転軸１のまわりに、複数の縦方向のブレード２Ａを設け、これら複数のブレード２Ａが垂直回転軸１から半径方向に湾曲状に張り出してトロポスキエン（縄跳びの縄）状に形成され、その上下両端部が該回転軸１に一体に取り付けられてなるダリウス型の垂直軸型風力発電機において、前記垂直回転軸１に動物形状や植物形状等の、表現しようとする造形物４Ａの輪郭を表す形状に形成した線状体５Ａを一体的に取り付け、該線状体５Ａが垂直回転軸１のまわりを該回転軸１と一体回転することによって、該造形物輪郭線状体５Ａが、視覚上、浮き上がり状に立体的造形物６Ａのように表れるようにしたものであり、前記ジャイロミル型の垂直軸型風力発電機とは、線状体５Ａが垂直回転軸１に直接に取り付けられる点で相違するが、その他の構成は同じであることは勿論である。この場合、図示のように線状体５Ａがカップ状に形成されているものもあるが、これは風を受けて回転力を上げるためであり、このような作用をするカップ状の線状体５Ａも本発明では線状体５Ａの範囲に含まれるものである。
【図面の簡単な説明】
【００１８】
【図１】本発明の一実施形態のジャイロミル型垂直軸型風力発電機の斜視図である。
【図２】同正面図である。
【図３】同平面図である。
【図４】本発明の一実施形態によって視覚的に浮き上がり状に表れた立体的造形物の一例を示すものである。
【図５】同様にして視覚的に浮き上がり状に表れた立体的造形物の一例を示すものである。
【図６】同様にして視覚的に浮き上がり状に表れた立体的造形物の一例を示すものである。
【図７】同様にして視覚的に浮き上がり状に表れた立体的造形物の一例を示すものである。
【図８】同様にして視覚的に浮き上がり状に表れた立体的造形物の一例を示すものである。
【図９】同様にして視覚的に浮き上がり状に表れた立体的造形物の一例を示すものである。
【図１０】同様にして視覚的に浮き上がり状に表れた立体的造形物の一例を示すものである。
【図１１】同様にして視覚的に浮き上がり状に表れた立体的造形物の一例を示すものである。
【図１２】同様にして視覚的に浮き上がり状に表れた立体的造形物の一例を示すものである。
【図１３】同様にして視覚的に浮き上がり状に表れた立体的造形物の一例を示すものである。
【図１４】同様にして視覚的に浮き上がり状に表れた立体的造形物の一例を示すものである。
【図１５】同様にして視覚的に浮き上がり状に表れた立体的造形物の一例を示すものである。
【図１６】本発明の他の実施形態であるダリウス型の垂直軸型風力発電機の正面図を示すものである。
【図１７】同平面図である。
【符号の説明】
【００１９】
１            垂直回転軸
２            ブレード
２Ａ          ブレード
３            支持杆
４            造形物
４Ａ          造形物
５            線状体
５Ａ          線状体
６            立体的造形物
６Ａ          立体的造形物
【図１】
0004769236.tif 000002
【図２】
0004769236.tif 000003
【図３】
0004769236.tif 000004
【図４】
0004769236.tif 000005
【図５】
0004769236.tif 000006
【図６】
0004769236.tif 000007
【図７】
0004769236.tif 000008
【図８】
0004769236.tif 000009
【図９】
0004769236.tif 000010
【図１０】
0004769236.tif 000011
【図１１】
0004769236.tif 000012
【図１２】
0004769236.tif 000013
【図１３】
0004769236.tif 000014
【図１４】
0004769236.tif 000015
【図１５】
0004769236.tif 000016
【図１６】
0004769236.tif 000017
【図１７】
0004769236.tif 000018